(57)【特許請求の範囲】
【請求項１】
原文書の部分の指向的閲覧を容易にするコンピュータ実装された方法であって、
コンピュータによって、前記原文書に関連付けされた変換文書を受信するステップであり、前記変換文書は、前記変換文書の選択された部分を特定するタグと、前記変換文書の意図された閲覧者を特定する識別子と、前記変換文書が前記閲覧者によりアクセスされたときに前記選択された部分で実行されるアクションとを含む、ステップと、
ユーザのために前記変換文書を開くステップと、
前記ユーザが前記閲覧者に一致するか否かを決定するステップと、
コンピュータによって、前記ユーザが前記閲覧者に一致することに応答して前記変換文書の前記選択された部分で前記アクションを実行するステップであり、前記アクションは、
前記選択された部分への手動ナビゲーションを必要とせずに前記変換文書の前記選択された部分を開くこと、
前記選択された部分を強調表示すること、
前記選択された部分周辺の文脈を隠蔽すること、
隠蔽された文脈をスキップする手動ナビゲーションを必要とせずに前記変換文書内で前記選択された部分から異なる選択された部分へ直接ナビゲートすること、
の少なくともいずれかを含む、ステップと、
を有する方法。
【請求項２】
前記変換文書は、さらに、
原文書の複製、
手動ナビゲーションを必要とせずに前記複製内の選択された部分を直ちに開くオープン時起動コントロール、
前記複製の前記選択された部分を覆う強調を含む、強調された文書部分、
前記選択された部分からの距離に基づく、前記複製の前記選択された部分周辺の隠蔽部分、
隠蔽部分における手動ナビゲーションを必要とせずにある強調部分から別の強調部分へ直接ナビゲートするナビゲーションコントロール、
の少なくともいずれかを含む、請求項１記載の方法。
【請求項３】
前記変換文書は、さらに、
前記選択された部分に関連付けられた表示フォーマット、
前記閲覧者に関連付けられた機械が前記表示フォーマットを適用する、前記原文書の複製または前記原文書へのリンク、
の少なくともいずれかを含む、請求項１記載の方法。
【請求項４】
原文書の部分の指向的閲覧を容易にする装置であって、
プロセッサと、
メモリと、
原文書に関連付けられた変換文書を受信する変換文書受信機構であり、前記変換文書は、
前記変換文書の選択された部分を特定するタグと、前記変換文書の意図された閲覧者を特定する識別子と、前記変換文書が前記閲覧者によりアクセスされたときに前記選択された部分で実行されるアクションとを含む変換文書受信機構と、
ユーザのために前記変換文書を開く変換文書オープン機構と、
前記ユーザが前記閲覧者に一致するか否かを決定する決定機構と、
前記ユーザが前記閲覧者に一致することに応答して前記変換文書の前記選択された部分において実行するように構成されたアクション実行機構であり、前記アクションは、
前記選択された部分への手動ナビゲーションを必要とせずに前記変換文書の前記選択された部分を開くこと、
前記選択された部分を強調表示すること、
前記選択された部分周辺の文脈を隠蔽すること、
隠蔽された文脈をスキップする手動ナビゲーションを必要とせずに前記変換文書内で前記選択された部分から異なる選択された部分へ直接ナビゲートすること、
の少なくともいずれかを含む、装置。
【発明の詳細な説明】
【技術分野】
【０００１】
本発明は文書管理に関し、特に顕著な内容が強調され、非顕著な内容が目立たないような文書の作成に関する。
【背景技術】
【０００２】
文書共有は日々の業務にとって重要である。しかしながら、文書内容の一部分のまとまりのみが特定の閲覧者により要求される場合がしばしばある。例えば、文書の中の一つの部分のみが特定の閲覧者にとって有意義であり得る。
【０００３】
一般的な文書共有システムでは、ユーザは全文書を閲覧者に送るか、あるいは文書の一部分のみを送ることが可能である。ユーザは、閲覧者が重要な部分を容易に特定できるように、送信前に重要な部分をハイライト（例えば、黄色のハイライトを付す、線を変える、傍注を入れる）することができる。しかしながら、閲覧者は、通常、第１の重要な部分を見出すためにスクロールダウンすることが必要となり、次に、ある重要な部分から次の重要な部分へとマニュアルで進まなければならない。さらに、閲覧者は膨大な量の内容を提供されるかもしれない。
【先行技術文献】
【特許文献】
【０００４】
【特許文献１】特開２００６−２５２５２０号公報
【発明の概要】
【発明が解決しようとする課題】
【０００５】
いくつかの文書共有システムでは、重要な箇所にタグを付することが可能となっている。しかしながら、閲覧者がタグ付の文書を受け取ると、文脈はステップ関数的（全てかゼロか）に表示され、重要な箇所の間の中間的なナビゲーション（誘導あるいは案内）が不可能である。
【課題を解決するための手段】
【０００６】
本発明の一実施形態により、原文書の選択された部分を閲覧者が指向的に閲覧しやすくするシステムを提供する。本システムは動作中に、少なくとも原文書および選択された部分に基づいて変換文書を生成する。変換文書は閲覧者により閲覧された際に以下の動作を可能にする。すなわち、手動ナビゲーションを必要とせずに変換文書の選択された部分を開くこと、選択された部分を強調表示すること、少なくとも選択された部分からの距離尺度に基づいて選択された部分の周辺の文脈を隠蔽すること、および隠蔽された文脈において手動ナビゲーションを必要とせずに変換文書内で１個の強調表示部分から別の強調表示部分へ直接ナビゲートすることである。本システムは変換文書を生成した後で閲覧者に当該変換文書を送信する。
【０００７】
この実施形態の変型において、閲覧者には電子メールが送られるホスト名と呼ばれる領域が関連付けられる。閲覧者は、ユーザー名、役割名、グループ名、組織名、データ格納機構の名称、コンピュータシステムの名称、ソフトウェアアプリケーションの名称、およびユニフォームリソースロケータ（ＵＲＬ）のうち１個以上であってよい。ホスト名は、ネットワーク接続された装置（例：コンピュータ、ファイルサーバ、ネットワークストレージ、ファックス機、複写機、ケーブルモデム等）をネットワーク上で識別する一意な名称である。ホスト名を用いて、ワールドワイドウェブ、電子メール、およびＵｓｅｎｅｔ等、各種形式の電子通信において特定のホストを識別する。
【０００８】
いくつかの実施形態において、変換文書の生成は、原文書の複製を生成する、オープン時コントロールを複製内に作成して選択された部分への手動ナビゲーションを必要とせずに複製の選択された部分が直ちに開くようにする、複製の選択された部分を強調表示する、選択された部分からの距離に基づいて複製の選択された部分の周辺の文脈を隠蔽する、および隠蔽された文脈において手動ナビゲーションを必要とせずに複製内で１個の強調表示部分から別の強調表示部分へ直接ナビゲーションを可能にするナビゲーションコントロールを生成するステップを含んでいる。
【０００９】
いくつかの実施形態において、変換文書の生成は、少なくとも閲覧者および選択された部分の識別子に基づいて表示フォーマットを生成する、原文書の複製または原文書へのリンクを生成することにより閲覧者に関連付けられた機械が当該表示フォーマットを原文書の複製または原文書へのリンクに適用できるようにする、および閲覧者が当該表示フォーマットに基づいて変換文書を閲覧できるようにするステップを含んでいる。
【００１０】
いくつかの実施形態において、選択された部分の強調表示は、彩色された透明バンドを重ねる、焦点を合わせる、フォントサイズを大きくする、フォント強調を強める、下線を追加する、点滅速度を上げる、スペースを拡張する、階調を増やす、および色を追加するステップのうち１個以上含んでいる。
【００１１】
いくつかの実施形態において、選択された部分周辺の文脈の隠蔽は、不鮮明度を上げる、フォントサイズを小さくする、フォント強調を弱める、下線を除去する、点滅速度を下げる、スペースを圧縮する、階調を減らす、および色を減らすステップのうち１個以上を含んでいる。
【００１２】
いくつかの実施形態において、選択された部分は、セクション、段落、ページ、文、行、単語、欄、段組み、および文字である。セクションは、部（例：「第１部」）、巻（例：「第２巻」）、および章など、文書の識別可能な任意の部分のうち１個以上を含んでいてよい。
【００１３】
いくつかの実施形態において、距離尺度は、選択された部分に含まれるセクションの数、選択された部分に含まれる段落の数、選択された部分に含まれる文の数、選択された部分に含まれる行の数、選択された部分に含まれる欄の数、選択された部分に含まれる段組みの数、選択された部分に含まれる文字の数、ディスプレイまたは紙面上での選択された部分への物理的距離、用語の出現頻度／逆文書出現頻度、およびテキストまたは意味論的分析に基づくｄａｎｙ距離尺度のうち１個以上を含んでいる。
【００１４】
本発明の一実施形態は、ユーザーが文書の一部の指向的閲覧を容易にするシステムを提供する。多くの文書は膨大であるが、発信元ユーザーおよび閲覧者は共に文書の一部にしか関心がない場合がある。本発明のシステムは、閲覧者が考慮すべき情報の量を減らし、閲覧者が変換文書をタイムリーに閲覧（且つ応答）できる可能性を高めることができる。
【００１５】
共有コンテンツの閲覧者は、文書全体ではなく、その一部へのアクセスだけを許されればよい場合がある。現在、コンテンツの部分的伝達を実現する唯一の手段は、上述のようにコンテンツを含む文書から当該コンテンツを手動で抽出することである。本発明の実施形態は、手動抽出に頼らずに機微な文書の一部だけを伝達し易くする。
【００１６】
本発明の実施形態はまた、ユーザーが自分の使用しているワークフローの文脈内でコンテンツを共有できるようにする。例えば、ユーザーはある段落を改訂しているときに当該段落に「ジーンと共有」とマークを付けておけば、後で当該文書またはその一部を個別に送信することを覚えておく必要がない。このような文書内タグに基づく伝達により、送信器にかかる認知負荷を減らし、従って、ユーザーが情報を送信するのを忘れる等のミスを減らすことができる。本システムはまた、情報交換の障壁およびオーバーヘッドを低下させるため、ユーザーは情報共有により利用可能になったリソースをより多く利用できる。
【００１７】
更に、本発明の実施形態はまた、閲覧者からフィードバックを受取り、当該フィードバックを原文書に組み込むことにより、文書ワークフロー内の「ループを閉じる」ことができる。フィードバックは、変換文書に対する承認、変更、またはコメントの形式をとることができる。この文脈において、「共有」とは、電子メールアドレスを付与された閲覧者が変換文書内の選択された部分を閲覧および変更できることを意味する。変更された部分を原文書に組み込むことができる。「開示」とは閲覧者に変換文書内の選択された部分の閲覧だけを許し、選択された部分を閲覧者が変更できないことを意味する。
【００１８】
例えば、ユーザーは自分が操作しているファイル内で、ある段落に関して別のユーザーであるジーンにコメントを求めるリクエストを送りたい旨を直接指示できる。本システムは次いで、返されたコメントを当該段落の文脈に自動的に表示できる。そのような表示により、ユーザーは、手動で文書を探したり複数の入力を単一の文書にまとめる必要なしに、送られてきた応答および議論されている情報の文脈の両方を直ちに知ることができる。
【００１９】
各種のフォーマットを用いて、電子メールアドレスが受信する原文書の選択された部分を示すことができる。１個のフォーマットとして、文書内に、多くの場合当該文書にインラインで挿入できる記述テキストのセクションを意味する「タグ」がある。タグは、文書の一部に対して実行される動作を指定できる。
【００２０】
タグは、「マークアップ」または「メタデータ」の形式であってよく、両方共に強調表示、制限、または隠蔽したい特定のコンテンツを識別するために用いることができる。タグは「＜」、「＞」、または「｜」等の特別な記号により他のテキストから区別できる。タグ付けは自動的にまたは手動で行える。例えば、ユーザーは、シンディに見せるために「ボブ」という単語を含む全ての段落に自動的にタグを付けるようシステムに命令できる。
【００２１】
一般に、「タグを付ける」とは１個以上のタグを文書に挿入する動作を意味し、タグはアクション、アクションを実行する文書の一部、および電子メールアドレス等の宛先を指定する。タグにより指定されるアクションは、表示、共有、制限、または複製等、任意の情報伝達動作であってよい。これらのアクションの各々は、付随する強調表示および隠蔽を指定する。従って、変換文書の生成はアクションにも依存する場合がある。一般に、変換文書は、閲覧者を対象とする文書の一部を強調表示または隠蔽するのに必要な明示的または暗黙的な情報を含んでいる。文書の一部の指向的閲覧を容易にする本システムが、タグにより識別または指示される部分、およびタグで示す電子メールアドレス等の閲覧者の識別子も入力として受入れることができる点に注意されたい。
【００２２】
タグに関連付けられたアクションの他の例として以下のものが含まれる。
・「｜この段落だけをｂｏｂ＠ｂｏｂｓｃｏｍｐａｎｙ．ｃｏｍと共有する｜」とは、当該段落だけを共有し、その他は全て改訂されることを意味する。本例では、このアクションはある、「この段落だけを共有し」、電子メールアドレスが「ｂｏｂ＠ｂｏｂｓｃｏｍｐａｎｙ．ｃｏｍ」である。
・「｜ｂｏｂ＠ｂｏｂｓｃｏｍｐａｎｙ．ｃｏｍのために段落を強調表示する｜」とは、当該段落を強調表示して文書全体を変換することを意味する。
・「｜ｂｏｂ＠ｂｏｂｓｃｏｍｐａｎｙ．ｃｏｍのために段落をナビゲートする｜」とは、文書全体を変換し、変換文書が開かれた際に関連箇所へナビゲーションすることを意味する。
・「｜曖昧さを伴ってｂｏｂ＠ｂｏｂｓｃｏｍｐａｎｙ．ｃｏｍと段落を共有する｜」とは、変換文書に曖昧さコントロール（例：ボタン、スライダ）が追加されていて、曖昧さのコントロールは当該段落からの距離に基づいて曖昧さの程度を制御することを意味する。
【００２３】
これらの例の各々から、閲覧者が変換文書を閲覧した際に異なる強調表示および異なる隠蔽の仕方が得られる。要するに、タグは、共有されている文書内における関心対象領域を指示する。実際、本システムの一実施形態は、タグ付けされたコンテンツを目立たせる（例：強調表示および装飾性向上）視覚的変換を当該文書に施し、タグ付けされていないコンテンツを隠蔽（例：省略、改訂、および歪曲）できる。
【図面の簡単な説明】
【００２４】
【図１】実施形態の構成図である。
【図２】実施形態のシステムのブロック図である。
【図３】実施形態における強調表示と隠蔽（目立たなくする）表示の説明図である。
【図４】実施形態のフローチャートである。
【図５】実施形態のフローチャートである。
【図６】実施形態の装置構成図である。
【発明を実施するための形態】
【００２５】
図１に、一実施形態による文書の一部の指向的閲覧を容易にする例示的なシステムの構成（アーキテクチャ）を示す。文書の一部の指向的閲覧を容易にするシステム１００は、入力として電子メールアドレス１５０、原文書１３０、および文書の一部の指標１４０を受取ることができる。原文書１３０および／または文書の一部の指標１４０は、直接（すなわち実際のソースとして）または間接的に（すなわちリンクまたは参照として）入力できる。
【００２６】
最初に、本システムは少なくとも原文書１３０、文書の一部の指標１４０、および電子メールアドレス１５０に基づいて変換文書１７０を生成する（動作１１０）。次に、本システムは電子メールアドレス１５０へ変換文書を送信する（動作１２０）。
【００２７】
文書の一部は、１個以上のセクション、段落、ページ、文、行、単語、または文字であってよい。本発明の実施形態は、文書全体または文書の任意のサブセットに作用することができる。一般に、指示された部分は、文書内の任意の範囲の文字群であってよく、音声クリップ、ビデオクリップ、または画像内の連続するピクセルの組を含んでいてよい。例えば、指示された部分は、ある段落の途中から始まって別の段落の途中で終わってもよい。原文書１３０は、１個以上のテキスト、音声、画像、グラフ、スプレッドシート、電子メール、ビデオ、およびマルチメディアであってよい。
【００２８】
変換文書生成器１１０は変換文書１７０を生成する。この文脈において、「変換」とは原文書１３０が変換文書１７０として知られる新規の文書に変換されることを意味する。変換文書１７０は、電子メールアドレスに基づいて文書の強調表示または隠蔽された部分を含んでいるか、または閲覧者が閲覧した際に文書の一部を適宜強調表示および隠蔽可能にする情報を含んでいる。
【００２９】
変換文書１７０は次いで、変換文書送信器１２０に渡される。変換文書送信器１２０は、電子メールアドレス１５０へ変換文書１７０を送信する。変換文書送信器１２０は電子メール、ｆｔｐ、ｗｅｂアップロードおよび「Ｒｅａｌｌｙ  Ｓｉｍｐｌｅ  Ｓｙｎｄｉｃａｔｉｏｎ（ＲＳＳ）」等のｗｅｂフィードを含む各種の配信方法を用いて変換文書１７０を送信できる。変換文書はまた、変換文書へのリンクまたは間接的参照としても表現できる点に注意されたい。
【００３０】
文書の一部の指向的閲覧を容易にするシステム１００は入力を、自身が常駐するコンピュータから、有線または無線ネットワークから、またはシステム１００と通信可能な任意の装置またはシステムから、受取ることができる。同様に、変換文書送信器１２０は、有線または無線ネットワークを介して、またはシステム１００と通信可能な任意の装置またはシステムを介して、他のエンティティと通信できる。
【００３１】
タグを用いて文書の一部の指標１４０を識別できる点を想起されたい。図２に、そのようなタグを使用する一実施形態による例示的なシステムのブロック図を示す。本実施形態におけるタグは、特定の段落に関連付けられていて「｜ｂｏｂ＠ｂｏｂｓｃｏｍｐａｎｙ．ｃｏｍと段落を共用する｜」のように表記される。ここで、「｜」は、タグとコンテンツの他の部分を区別するデリミタとして機能する。この実施形態において、本システムは情報を伝播するアクションを実行する。具体的には、著作文書２００（すなわち原文書１３０）は、タグの追加または変更が行えるように著作文書を開く「オープン時鍵穴」マクロ２１０を含んでいる。具体的には、文書のタグ付けされた部分２２０は、タグが付けられた著作文書２００（および変換文書２５０）内の２個のコンテンツを示す。「退出時鍵穴」マクロ２３０は、「鍵穴」ウェブインターフェース２１０内にタグテーブル２４０を生成して、変換文書２５０の生成を開始する。一般に、「オープン時」という用語は文書を開いた時点で生起する動作を指し、「退出時」という用語は文書の閲覧をやめた時点で生起する動作を指す。
【００３２】
退出するとは、ユーザーが文書を閉じることを意味するか、あるいはユーザーがまだ閉じていない文書の閲覧を止めることに関連付けられた動作を開始したことを意味する。例えば、退出するとは、変換文書２５０の生成を開始する時点でユーザーが著作文書２００を閉じないことを意味する。
【００３３】
「鍵穴」ウェブインターフェース２１０は、タグテーブル２４０またはユーザーテーブル２４２の表示またはナビゲートが可能なブラウザウインドウまたは任意のＧＵＩであってよい。タグテーブル２４０は、著作文書２００および変換文書２５０の全てのタグを格納する。ユーザーテーブル２４２は、変換文書２５０を適切なユーザーに伝達できるように全てのユーザー識別子（例：電子メールアドレス）を格納する。
【００３４】
コンテンツ伝達モジュール２８０（すなわち変換文書送信器１２０）は変換文書２５０を電子メールアドレス１５０へ送信する。変換文書２５０が電子メールアドレスへ送られたならば、対応する電子メール受信ボックス２９０に現れる。
【００３５】
変換文書２５０には、文書２２０のタグ付けされた部分が関連付けられている。「オープン時変換」マクロ２７０はタグテーブル２４０からの情報を用いて、変換文書２５０を開いた時点で変換文書２５０内のコンテンツを適宜強調表示、制限、または隠蔽する。「オープン時変換」マクロ２７０はまた、変換文書２５０の強調表示された部分を開く、および／または変換文書２５０のガイド付きツアー（例：１個の強調表示部分から別の強調表示部分へ）を開始できる。
【００３６】
「退出時変換」マクロ２６０は、タグテーブル２４０を更新し、コンテンツ伝達モジュール２８０を介して、変更された変換文書２５０の送信を開始できる。例えば、電子メールアドレス１５０に関連付けられた閲覧者は、転換文書２５０を変更し、コメントを追加し、別のタグを追加して、変換文書２５０を著者または他の電子メールアドレスへ電子メールで返送できる。コンテンツ伝達モジュール２８０がユーザーテーブル２４２に基づいてコンテンツを伝達させる点に注意されたい。一般に、「退出時変換」マクロ２６０は、著者または任意の電子メールアドレスへ返送するフィードバックループを開始できる。すなわち、変換文書２５０は事実上、別の著作文書２００になることができる。
【００３７】
タグはまた、特定の部分を指定して、どのエンティティに対して選択された部分の閲覧を許すべきか許すべきでないかを理解できる自然言語処理エンジンを用いて指定できる点に注意されたい。本システムは、少なくとも電子メールアドレスに基づいて、特定の名前、語句、または部分を、それらの名前、語句、または部分が強調表示された部分に存在するか否かに関係なく、選択的に隠蔽できる。例えば、ユーザーであるボブに、ユーザーであるシンディが文書に記述された特定のアクションの責任者であることを知らせるべきでない場合、本システムは文書全体から「シンディ」という名前を隠蔽できる。また、本システムは変更、コメント、および承認の形式で閲覧者からのフィードバックを受取ることができる。
【００３８】
図３に、一実施形態に従い本システムがどのようにコンテンツを強調表示し、文脈を隠蔽できるかを示す。同図は、強調表示されたコンテンツ３００および隠蔽されたコンテンツ３１０を示す。強調表示されたコンテンツ３００からの距離が離れるにつれて、曖昧さが増大する。例えば、強調表示されたコンテンツ３００からの数ページ離れたコンテンツ（図示せず）は全く読めないのに対し、強調表示されたコンテンツ３００からの数インチ離れたコンテンツはまだ何とか読み取り可能である。電子メールアドレスを付与された閲覧者が閲覧した場合、変換文書は図３に示すもののように見える。しかし、多くの異なる技術を用いてコンテンツを強調表示および隠蔽できる。
【００３９】
図４に、一実施形態に従い変換文書を生成する処理を説明するフロー図を示す。この実施形態において、本システムは、文書閲覧アプリケーションを用いて閲覧できるスタンドアロン文書を生成する。このスタンドアロン文書は、閲覧者が文書を開いた時点で強制的に文書の選択された部分を開かせる「オープン時」コントロール機能を組み込んでいる。このスタンドアロン文書はまた、選択された部分の強調表示、選択された部分周辺の文脈の隠蔽、および閲覧者が強調表示されていない部分で手動ナビゲーションを必要とせずに、１個の強調表示部分から別の強調表示部分へ移動可能にするナビゲーション制御を組み込んでいる。本実施形態により、セキュリティをユーザーではなくシステムにより厳密に制御することが可能になる。例えば、複製された文書は元のセクションを公開形式で含んでいないため、ユーザーは当初より元々隠蔽されていた部分を「公開」させることができない。
【００４０】
本システムは動作中に、原文書の複製を生成する（動作４００）。次に、本システムは、手動ナビゲーションを必要とせずに文書を開いた時点で選択された部分を強制的に開かせる「オープン時」コントロールを当該複製内に生成する（動作４１０）。続いて、本システムは当該複製内の選択された部分を強調表示する（動作４２０）。この動作は、彩色された透明バンドを重ねる、焦点を合わせる、フォントサイズを大きくする、フォント強調を強める、下線を追加する、点滅速度を上げる、スペースを拡張する、階調を増やす、色を追加するステップのうち１個以上含んでいてよい。
【００４１】
次に、本システムは少なくとも所与のテキスト位置および選択された部分からの距離に基づいて、選択された部分周辺の文脈を隠蔽する（動作４３０）。選択された部分周辺の文脈の隠蔽は、不鮮明度を上げる、フォントサイズを小さくする、フォント強調を弱める、下線を除去する、点滅速度を下げる、スペースを圧縮する、階調を減らす、および色を減らすステップのうち１個以上を含んでいる。
【００４２】
いくつかの実施形態において、選択された部分周辺の文脈の隠蔽は、選択された部分から以下の距離尺度、すなわち、選択された部分に含まれるセクションの数、選択された部分に含まれる段落の数、選択された部分に含まれる文の数、選択された部分に含まれる行の数、選択された部分に含まれる欄の数、選択された部分に含まれる段組みの数、選択された部分に含まれる文字の数、ディスプレイまたは紙面上での選択された部分への物理的距離のうち１個以上に基づいていてよい。更なる実施形態において、本システムは文書のテキストまたは意味論的な分析に基づいて、より一般的または抽象的な距離尺度を用いてもよい。距離尺度は、例えば、１個以上の選択された用語の出現頻度／逆文書出現頻度に基づいていてよい。ＴＦ．ＩＤＦに関する更なる詳細は、ｈｔｔｐ:／／ｅｎ．ｗｉｋｉｐｅｄｉａ．ｏｒｇ／ｗｉｋｉ／Ｔｆ−ｉｄｆに見ることができる。一般に、任意の有効なユーザー定義された距離尺度を用いてよい。
【００４３】
本システムはまた、意味論的類似性に基づいてテキストを隠蔽できる。例えば、本システムは意味が類似するテキストを強調表示し、意味が類似していないテキストを隠蔽できる。類似性は、各種のコンテンツ類似性尺度を用いて測定できる。例えば、類似性は共通する単語の数の観点から測定できる。
【００４４】
本システムはまた、あるポリシーを用いて特定の電子メールアドレスについてあるセクションを隠蔽すべきか否か判定できる。例えば、当該ポリシーは、たとえその逆を指示しているタグがあったとしても、「ボブ」が「シンディ」を含むコンテンツを閲覧しないように指示できる。
【００４５】
本システムはまた、複製内において隠蔽された文脈内で手動ナビゲーションを必要とせずに、１個の強調表示部分から別の強調表示部分への直接ナビゲーションを可能にするナビゲーションコントロールを生成できる（動作４４０）。
【００４６】
図５に、一実施形態に従い変換文書を生成する処理を例示しているフロー図を示す。この実施形態において、本システムは少なくとも電子メールアドレスおよび選択された部分に基づいて表示フォーマットを生成する（動作５００）。次に、本システムは原文書の複製または原文書へのリンクを生成する（動作５１０）。続いて、本システムは表示フォーマットに基づいて変換文書の閲覧を可能にする（動作５２０）。本実施形態において、変換文書の表示フォーマットはコンテンツから分離されている。
【００４７】
例えば、文書がＨＴＭＬに基づくウェブコンテンツである場合、表示フォーマットは、閲覧パラメータへのアクセス（直接設定または何らかの機能的関係を通じた）を可能にする可視コントロール（ボタン、スライダ等）を有するＪａｖａ（登録商標）ｓｃｒｉｐｔ機能の組であってよい。当該表示フォーマットにより、ユーザーは強調表示の度合いを制御できる。また、ユーザーは文書および表示フォーマットを、より高い度合いの隠蔽を望む可能性のある他のユーザーに転送できるようになる。別の実施形態において、本システムは電子メールアドレスを付与された閲覧者が、少なくとも隠蔽度合いの調整を許諾する電子メールアドレスを記述したポリシーに基づいて隠蔽を調整できるようにする。例えば、この調整はスライダバーコントロールに基づいていてよい。
【００４８】
一般に、表示フォーマットを文書（複製またはリンクのいずれか）から分離することで閲覧の柔軟性を高めることが可能になる。更にこの分離は、表示フォーマットは変更されずに変換文書だけが変更されたか、またはその逆の場合に、より簡単に変更が行える。
【００４９】
いくつかの実施形態において、本システムは、「リミックス」文書を生成して電子メールアドレスに送信できる。「リミックス」文書は、他のアクセス可能なコンテンツ（例：共有リポジトリ内の文書、ＵＲＬ等）に適用される閲覧アクションの組を含んでいる。リミックス命令は、関心対象コンテンツの指示（例：リンクおよびクエリ）および閲覧命令（すなわちスクリプト）を含んでいてよい。閲覧命令は、上述のようにコンテンツにアクセスして、当該コンテンツを強調表示および隠蔽する動作に基づいていてよい。
【００５０】
本発明のいくつかの実施形態において、本システムにより、電子メールアドレスが隠蔽された文脈を除去または別途変更できる（例：文脈を精査できるように当該文脈のあらゆる歪曲を取り除く）。
【００５１】
本発明の更なる実施形態において、本システムは、閲覧者が閲覧した際に「ガイド付きツアー」を可能にする変換文書を生成できる。ガイド付きツアーは、閲覧者が隠蔽されたコンテンツを飛ばして、強調表示されたコンテンツへナビゲートすることを支援する。閲覧者が閲覧した際に、変換文書は各種の閲覧移動コントロール（例：再生、停止、次へ、前へ、巻戻し、早送り）を含んでいてよい。変換文書内の他のコントロールは、強調表示されたコンテンツへの手動ナビゲーション、イベント（例：ソケットへのメッセージの到着）起動型ナビゲーション、およびタイマー式ナビゲーションを含んでいてよい。例えば、タイマー式ナビゲーションは「スライドショー」のように動作可能である。すなわち、各々の強調表示された部分は、次の強調表示セクションへ進む前に、設定可能な一定の秒数だけ閲覧できる。タイマー式ナビゲーションは更に、反復周期をも含んでいてよい。
【００５２】
図６に、一実施形態に従い文書の一部の指向的閲覧を容易にする例示的な装置を示す。
【００５３】
本例では、装置６００は、プロセッサ６１０、メモリ６２０、ストレージ６３０、変換文書生成機構６４０、および変換文書送信機構６５０を含んでいて、これら全ては各種の手段により相互に通信可能である。
【００５４】
例えば、プロセッサ６１０はバスシステムを介して、メモリ６２０、ストレージ６３０、変換文書生成機構６４０、および変換文書送信機構６５０と通信可能である。プロセッサ６１０はまた直接接続により、メモリ６２０、ストレージ６３０、変換文書生成機構６４０、および変換文書送信機構６５０と通信可能である。
【００５５】
いくつかの実施形態において、変換文書生成機構６４０および変換文書送信機構６５０はプロセッサ６１０の一部であってよい。更に、いくつかの実施形態において、本システムはプロセッサとメモリを別々に含んでいない場合がある。また、変換文書生成機構６４０および／または変換文書送信機構６５０は、汎用計算エンジンとして実装されていてよい。
【００５６】
ストレージ６３０は、プロセッサ６１０により実行されるプログラムを格納する。具体的には、ストレージ６３０は、文書の一部の指向的閲覧を容易にするシステム（アプリケーション）を実装するプログラムを格納する。動作中に、アプリケーションプログラムをストレージ６３０からメモリ６２０へロードしてプロセッサ６１０により実行できる。その結果、文書の一部の指向的閲覧を容易にする装置６００は、上述の機能を実行できる。文書の一部の指向的閲覧を容易にする装置６００は、オプションのディスプレイ６８０、キーボード６６０、および位置指示装置６７０に接続可能である。
【００５７】
一実施形態において、プロセッサ６１０は変換文書生成機構６４０を起動して、文書、選択された部分、および電子メールアドレスをこれに提供する。次に、プロセッサ６１０は変換文書送信機構６５０を起動して、変換文書および電子メールアドレスをこれに提供する。変換文書送信機構は次いで、変換文書を電子メールアドレスに送信する。
【符号の説明】
【００５８】
１００  文書の一部の指向的閲覧を容易にするシステム、１１０  変換文書生成器、１２０  変換文書送信器、１３０  原文書、１４０  文書の一部０の指標、１５０  電子メールアドレス、１７０  変換文書、２００  著作文書、２１０  オープン時鍵穴マクロ、２２０  文書のタグ付けされた部分、２３０  退出時鍵穴マクロ、２４０  タグテーブル、２４２  ユーザーテーブル、２５０  変換文書、２６０  退出時変換マクロ、２７０  オープン時変換マクロ、２８０  コンテンツ伝達モジュール、２９０  電子メール受信ボックス、３００  強調表示されたコンテンツ、３１０  隠蔽されたコンテンツ、６００  文書の一部の指向的閲覧を容易にする装置、６１０  プロセッサ、６２０  メモリ、６３０  ストレージ、６４０  変換文書生成機構、６５０  変換文書送信機構、６６０  キーボード、６７０  位置指示装置、６８０  ディスプレイ、６９０  ネットワーク。
【図１】
0005638852.tif 000002
【図２】
0005638852.tif 000003
【図３】
0005638852.tif 000004
【図４】
0005638852.tif 000005
【図５】
0005638852.tif 000006
【図６】
0005638852.tif 000007